(57)【要約】eNB(100A)は、複数のTTIの最小公倍数または最大公約数に基づいて、ユーザ装置が用いるDL-SCH, UL-SCHに割り当てられるMaximum number of DL/UL-SCH transport block bits, Maximum number of bits of a DL/UL-SCH transport blockを定義する時間方向の単位区間を決定するTTI決定部(130)と、TTI決定部(130)によって決定されたTTIに基づいて、DL-SCH, UL-SCHを設定するチャネル設定部(140)とを備える。
2018230650.tif 000002
【特許請求の範囲】
【請求項１】
時間長が異なる複数の送信時間間隔が用いられる無線通信システムに含まれるネットワーク装置であって、
複数の前記送信時間間隔の最小公倍数または最大公約数に基づいて、ユーザ装置が用いるトランスポート共有チャネルに割り当てられる最大ビット数を定義する時間方向の単位区間を決定する送信時間間隔決定部と、
前記送信時間間隔決定部によって決定された前記単位区間に基づいて、前記トランスポート共有チャネルを設定するチャネル設定部と
を備えるネットワーク装置。
【請求項２】
前記送信時間間隔決定部は、前記ユーザ装置との無線通信に用いられるキャリアに適用されるサブキャリア・スペーシングと対応する複数の送信時間間隔の最小公倍数または最大公約数に基づいて、前記最大ビット数を定義する時間方向の単位区間を決定する請求項１に記載のネットワーク装置。
【請求項３】
前記送信時間間隔決定部は、前記ユーザ装置が対応している前記送信時間間隔に基づいて、前記最大ビット数を定義する時間方向の単位区間を決定する請求項１に記載のネットワーク装置。
【請求項４】
前記送信時間間隔決定部は、複数の前記送信時間間隔に関わらず、所定の送信時間間隔に基づいて、前記最大ビット数を定義する時間方向の単位区間を決定する請求項１に記載のネットワーク装置。
【請求項５】
前記送信時間間隔決定部は、複数の前記送信時間間隔に関わらず、所定のサブフレーム数に基づいて、前記最大ビット数を定義する時間方向の単位区間を決定する請求項１に記載のネットワーク装置。
【請求項６】
前記送信時間間隔決定部は、前記ユーザ装置と実行されるハイブリッド自動再送要求に適用されるラウンドトリップ時間に基づいて、前記最大ビット数と対応する時間方向の単位区間を決定する請求項１に記載のネットワーク装置。
【請求項７】
時間長が異なる複数の送信時間間隔が用いられる無線通信システムに含まれるユーザ装置であって、
複数の前記送信時間間隔の最小公倍数または最大公約数に基づいて、前記ユーザ装置が用いるトランスポート共有チャネルに割り当てられる最大ビット数を定義する時間方向の単位区間を取得する送信時間間隔取得部と、
前記送信時間間隔取得部によって取得された前記単位区間に基づいて、前記トランスポート共有チャネルを設定するチャネル設定部と
を備えるユーザ装置。
【請求項８】
時間長が異なる複数の送信時間間隔が用いられる無線通信システムにおいて用いられる無線通信方法であって、
複数の前記送信時間間隔の最小公倍数または最大公約数に基づいて、ユーザ装置が用いるトランスポート共有チャネルに割り当てられる最大ビット数を定義する時間方向の単位区間を決定するステップと、
決定された前記単位区間に基づいて、前記トランスポート共有チャネルを設定するステップと
を含む無線通信方法。
【発明の詳細な説明】
【技術分野】
【０００１】
本発明は、複数のTTI長が規定される無線通信システムに含まれるネットワーク装置、ユーザ装置及び無線通信方法に関する。
【背景技術】
【０００２】
3rd Generation Partnership Project（3GPP）は、Long Term Evolution（LTE）を仕様化し、LTEのさらなる高速化を目的としてLTE-Advanced（以下、LTE-Advancedを含めてLTEという）を仕様化している。また、3GPPでは、さらに、5G New Radio（NR）などと呼ばれるLTEの後継システムの仕様が検討されている。【０００３】
例えば、このような検討の中では、LTE方式の無線基地局（eNB）と、NR方式の無線基地局（gNB）とを用いたデュアルコネクティビティ（DC）に関する仕様が検討されている。
当該DCでは、マスタセルグループ（MCG）に属するセル（無線基地局）を経由するMCGベアラ、セカンダリセルグループ（SCG）に属するセル（無線基地局）を経由するSCGベアラ、及び当該無線基地局から分岐するスプリットベアラなどが規定されている。【０００４】
さらに、このような検討の中では、これまでの1msのTransmission Time Interval（TTI）よりも短いTTI（Short TTI）を導入することが検討されている（例えば、非特許文献１）。このようなShort TTIが導入されると、キャリアアグリゲーション（CA）では、コンポーネントキャリア（CC、以下キャリア）毎にTTI長が異なる場合が想定される。また、NRの場合、同一キャリア内においてサブキャリア・スペーシング（numerology）が異なる場合も想定され、サブキャリア・スペーシングの値が異なると、TTI長も異なる。【０００５】
LTEとNRとのDCの場合も同様であり、LTEとNRとにおいて、TTI（に相当する送信時間間隔）が異なり得る。
【先行技術文献】
【非特許文献】
【０００６】
【非特許文献１】“Running CR to introduce shortened TTI and processing time for LTE”, R2-1704733, 3GPP TSG-RAN WG2 #98, 3GPP, 2017年5月
【発明の概要】
【０００７】
上述したように、キャリア毎或いは同一キャリア内においてTTI長が異なると、TTI当たりの値と規定されているユーザ装置（UE）向けの設定パラメータであるUE Categoryのパラメータをどのように規定するかが問題となる。
【０００８】
具体的には、トランスポート共有チャネルの一種であるDL-SCH（Shared Channel）及びUL-SCHに割り当てられる最大ビット数、具体的には、Maximum number of DL-SCH/UL-SCHtransport block bits、及びMaximum number of bits of DL-SCH/UL-SCH transport blockは、TTI毎の値として規定されている。
【０００９】
このため、Short TTIを含む複数のTTI長が規定されると、当該トランスポート共有チャネルのパラメータ、具体的には、トランスポート共有チャネルに割り当てられる最大ビット数を単純には指定することが難しくなる問題がある。
【００１０】
そこで、本発明は、このような状況に鑑みてなされたものであり、Short TTIを含む複数のTTI長が用いられる場合でも、適切なトランスポート共有チャネルのパラメータ（最大ビット数）を容易に設定し得るネットワーク装置、ユーザ装置及び無線通信方法の提供を目的とする。
【００１１】
本発明の一態様は、時間長（TTI長）が異なる複数の送信時間間隔（TTI）が用いられる無線通信システム（無線通信システム10）に含まれるネットワーク装置（例えば、eNB100A）であって、複数の前記送信時間間隔の最小公倍数または最大公約数に基づいて、ユーザ装置が用いるトランスポート共有チャネル（DL-SCH, UL-SCH）に割り当てられる最大ビット数（Maximum number of DL/UL-SCH transport block bits, Maximum number of bits of a DL/UL-SCH transport block）を定義する時間方向の単位区間を決定する送信時間間隔決定部（TTI決定部130）と、前記送信時間間隔決定部によって決定された前記単位区間に基づいて、前記トランスポート共有チャネルを設定するチャネル設定部（チャネル設定部140）とを備える。
【００１２】
本発明の一態様は、時間長が異なる複数の送信時間間隔が用いられる無線通信システムに含まれるユーザ装置（UE200）であって、複数の前記送信時間間隔の最小公倍数または最大公約数に基づいて、ユーザ装置が用いるトランスポート共有チャネルに割り当てられる最大ビット数を定義する時間方向の単位区間を取得する送信時間間隔取得部（制御情報送受信部220）と、前記送信時間間隔取得部によって取得された前記単位区間に基づいて、前記トランスポート共有チャネルを設定するチャネル設定部（チャネル設定部230）とを備える。
【００１３】
本発明の一態様は、時間長が異なる複数の送信時間間隔が用いられる無線通信システムにおいて用いられる無線通信方法であって、複数の前記送信時間間隔の最小公倍数または最大公約数に基づいて、ユーザ装置が用いるトランスポート共有チャネルに割り当てられる最大ビット数を定義する時間方向の単位区間を決定するステップと、決定された前記単位区間に基づいて、前記トランスポート共有チャネルを設定するステップとを含む。
【図面の簡単な説明】
【００１４】
【図１】図１は、無線通信システム10の全体概略構成図である。
【図２】図２は、無線通信システム10において用いられる無線リソースブロックRBのイメージを示す図である。
【図３】図３は、無線通信システム10において用いられるキャリアに適用されるTTIの構成例を示す図である。
【図４】図４は、eNB100Aの機能ブロック構成図である。
【図５】図５は、UE200の機能ブロック構成図である。
【図６】図６は、TTIの決定、及びDL-SCHの設定動作フロー（動作例１）を示す図である。
【図７】図７は、TTIの決定、及びDL-SCHの設定動作フロー（動作例２）を示す図である。
【図８】図８は、TTIの決定、及びDL-SCHの設定動作フロー（動作例３）を示す図である。
【図９】図９は、TTIの決定、及びDL-SCHの設定動作フロー（動作例４）を示す図である。
【図１０】図１０は、ハイブリッド自動再送要求（HARQ）のラウンドトリップ時間（RTT）の時間長に基づいて、DL-SCHに割り当てられる最大ビット数を決定する動作の説明図である。
【図１１】図１１は、eNB100A及びUE200のハードウェア構成の一例を示す図である。
【発明を実施するための形態】
【００１５】
以下、実施形態を図面に基づいて説明する。なお、同一の機能や構成には、同一または類似の符号を付して、その説明を適宜省略する。
【００１６】
（１）無線通信システムの全体概略構成
図１は、本実施形態に係る無線通信システム10の全体概略構成図である。無線通信システム10は、Long Term Evolution（LTE）及び5G New Radio（NR）に従った無線通信システムである。なお、LTEは4Gと呼ばれてもよいし、NRは、5Gと呼ばれてもよい。
【００１７】
無線通信システム10は、LTE（E-UTRA）側のコアネットワークであるEvolved Packet Core 20（以下、EPC20）と、NR側のコアネットワークであるNG Core 25（以下、NGC 25）とを含む。なお、NGC 25は、5GCと呼ばれてもよい。
【００１８】
EPC20には、Mobility Management Entity（MME）及びServing Gateway（SGW）などのノード30が含まれ、NGC 25も、MME及SGWと対応する機能を備えるノード40（Access and Mobility Management Function (AMF)及びSession Management Function (SMF)など）が含まれるが、図１では省略されている。
【００１９】
EPC20には、無線基地局100A（以下、eNB100A）が接続される。eNB100Aは、LTE方式の無線基地局である。本実施形態では、eNB100Aは、MeNBと呼ばれてもよい。eNB100Aは、マスタセルグループ（MCG）に属する。
【００２０】
NGC 25には、無線基地局100B（以下、gNB100B）が接続される。gNB100Bは、NR方式の無線基地局である。本実施形態では、gNB100Bは、SgNBと呼ばれてもよい。gNB100Bは、セカンダリセルグループ（SCG）に属する。
【００２１】
本実施形態において、eNB100A及びgNB100Bは、ネットワーク装置を構成する。
【００２２】
ユーザ装置200（以下、UE200）は、eNB100A及びgNB100Bと無線通信を実行する。具体的には、UE200は、eNB100AとLTE方式に従った無線通信を実行し、gNB100BとNR方式に従った無線通信を実行する。特に、本実施形態では、UE200は、複数のコンポーネントキャリアCC（以下、通常のキャリア及びCCを含めてキャリア）を用いたキャリアアグリゲーション（CA）、及びeNB100A及びgNB100Bの両方に同時に接続するデュアルコネクティビティ（DC）を実行することができる。
【００２３】
また、UE200は、EPC20またはNGC 25と、論理的な通信路であるベアラを設定する。具体的には、eNB100Aは、UE200向けにMCGベアラを設定する。また、eNB100A及びgNB100Bは、UE200向けにスプリットベアラを設定する。さらに、gNB100Bは、UE200向けにSCGベアラを設定できる。スプリットベアラは、コアネットワーク（EPC20またはNGC 25）からeNB100AまたはgNB100Bを経由して、他方の無線基地局に分岐するベアラである。
【００２４】
また、UE200と、eNB100AまたはgNB100Bとは、トランスポート共有チャネルを設定して無線通信を実行する。具体的には、下りのトランスポート共有チャネルであるDL-SCH、及び上りのトランスポート共有チャネルであるUL-SCHを設定する。
【００２５】
さらに、本実施形態では、1msのTransmission Time Interval（TTI）よりも短いShort TTIが導入されている。つまり、無線通信システム10では、TTI長（時間長）が異なる複数の無線信号の送信時間間隔が用いられる。
【００２６】
図２は、無線通信システム10において用いられる無線リソースブロックRBのイメージを示す。図２に示すように、無線リソースブロックRBは、周波数（Freq.）方向のリソースと、時間（time）方向のリソースとによって構成される。
【００２７】
図３は、無線通信システム10において用いられるキャリアに適用されるTTIの構成例を示す。図３に示す例では、４つのキャリアが設定されており、Carrier #1のTTIが最も長い（例えば、1ms）。一方、Carrier #2〜#4は、Carrier #1のTTIよりも短いTTI、つまり、Short TTIが適用されている。
【００２８】
また、Carrier #4では、複数のTTI長が混在している。つまり、Carrier #4では、サブキャリア・スペーシング（numerology）が異なり、同一キャリア内においてTTI長が異なる。
【００２９】
（２）無線通信システムの機能ブロック構成
次に、無線通信システム10の機能ブロック構成について説明する。具体的には、eNB100A及びUE200の機能ブロック構成について説明する。
【００３０】
（２．１）eNB100A
図４は、eNB100Aの機能ブロック構成図である。図４に示すように、eNB100Aは、無線通信部110、UE能力取得部120、TTI決定部130及びチャネル設定部140を備える。なお、gNB100Bも対応している無線通信方式が異なるものの、eNB100Aと概ね同様の機能ブロック構成を有する。
【００３１】
無線通信部110は、LTE方式に従った無線通信を実行する。具体的には、無線通信部110は、UE200とLTE方式に従った無線信号を送受信する。当該無線信号には、ユーザデータまたは制御データが多重される。また、制御データは、無線リソース制御レイヤ（RRCレイヤ）のメッセージによって送受信される。
【００３２】
UE能力取得部120は、UE200の能力情報（UE Capability）を取得する。具体的には、UE能力取得部120は、UE200の能力を問い合わせるUE Capability EnquiryをUE200に送信し、UE200の能力情報を含むUE Capability Informationを取得する。
【００３３】
UE Capability Informationには、UE200のカテゴリ（UE Category）が含まれる。また、UE Category毎に、以下のパラメータ（これらを最大ビット数という）が規定されている（TS36.306 Table 4.1-1参照）。
【００３４】
・  Maximum number of DL-SCH transport block bits received within a TTI
・  Maximum number of bits of a DL-SCH transport block received within a TTI
・  Maximum number of UL-SCH transport block bits transmitted within a TTI
・  Maximum number of bits of an UL-SCH transport block transmitted within a TTI
TTI決定部130は、UE200との無線通信に用いられる無線信号、つまり、キャリアに適用されるTTIを決定する。上述したように、無線通信システム10では、Short TTIが導入されている。本実施形態において、TTI決定部130は、送信時間間隔決定部を構成する。
【００３５】
TTI決定部130は、複数のTTIの最小公倍数または最大公約数に基づいて、UE200が用いるDL-SCH及びUL-SCHに割り当てられる上述の最大ビット数を定義する時間方向の単位区間を決定する。なお、当該単位区間は、所定のTTI、具体的には、LTEまたはNRにおいて規定されているTTIであってもよい。
【００３６】
また、TTI決定部130は、UE200との無線通信に用いられるキャリアに適用されるサブキャリア・スペーシング（numerology）と対応する複数のTTIの最小公倍数または最大公約数に基づいて、当該最大ビット数を定義する時間方向の単位区間を決定することもできる。
【００３７】
なお、TTI決定部130による具体的なTTIの決定方法については、さらに後述する。
【００３８】
また、TTI決定部130は、UE200が対応しているTTIに基づいて、当該最大ビット数を定義する時間方向の単位区間を決定してもよい。つまり、TTI決定部130は、UE能力取得部120によって取得されたUE200のUE Categoryを考慮してTTIを決定してもよいし、当該UE Categoryを考慮せずに、単に複数のTTIの最小公倍数または最大公約数に基づいて、TTIを決定してもよい。
【００３９】
さらに、TTI決定部130は、LTE（及びNR）において規定されている複数のTTIに関わらず、所定のTTI（所定の送信時間間隔）に基づいて、当該最大ビット数を定義する時間方向の単位区間を決定してもよい。所定のTTIとしては、後述するように、例えば、1msまたは0.5msが挙げられる。
【００４０】
或いは、TTI決定部130は、LTE（及びNR）において規定されている複数のTTIに関わらず、所定のサブフレーム数に基づいて、当該最大ビット数を定義する時間方向の単位区間を決定してもよい。所定のサブフレーム数としては、後述するように、例えば、1 subframeが挙げられる。
【００４１】
また、TTI決定部130は、UE200と実行されるハイブリッド自動再送要求（HARQ）に適用されるラウンドトリップ時間（RTT）に基づいて、当該最大ビット数と対応するTTIを決定してもよい。
【００４２】
チャネル設定部140は、UE200との通信に用いられる各種チャネルを設定する。特に、本実施形態では、チャネル設定部140は、トランスポート共有チャネル（DL-SCH及びUL-SCH）を設定する。
【００４３】
具体的には、チャネル設定部140は、TTI決定部130によって決定された単位区間に基づいて、トランスポート共有チャネルを設定する。より具体的には、チャネル設定部140は、決定されたTTIに基づいて、DL-SCH及びUL-SCHに割り当てられる最大ビット数を決定する。チャネル設定部140は、当該最大ビット数に基づいて、DL-SCH及びUL-SCHに用いる無線リソースブロックRBを選択する。
【００４４】
（２．２）UE200
図５は、UE200の機能ブロック構成図である。図５に示すように、UE200は、無線通信部210、制御情報送受信部220及びチャネル設定部230を備える。
【００４５】
無線通信部210は、LTE方式及びNR方式に従った無線通信を実行する。具体的には、無線通信部210は、eNB100AとLTE方式に従った無線信号を送受信する。また、無線通信部210は、gNB100BとNR方式に従った無線信号を送受信する。当該無線信号には、RRCレイヤのメッセージ及びユーザデータなどが多重される。
【００４６】
制御情報送受信部220は、eNB100AまたはgNB100Bから送信される各種の制御情報（例えば、RRCレイヤのメッセージ）を受信する。
【００４７】
特に、本実施形態では、制御情報送受信部220は、受信した制御情報を参照し、複数のTTIの最小公倍数または最大公約数に基づいて、UE200が用いるトランスポート共有チャネル（DL-SCH及びUL-SCH）に割り当てられる最大ビット数を定義する時間方向の単位区間を取得する。本実施形態において、制御情報送受信部220は、送信時間間隔取得部を構成する。なお、制御情報送受信部220は、媒体アクセス制御レイヤ（MACレイヤ）経由、またはPDCCH（Physical Downlink Control Channel）経由で当該単位区間を示す情報を取得してもよい。
【００４８】
チャネル設定部230は、eNB100A（またはgNB100B）との通信に用いられる各種チャネルを設定する。特に、本実施形態では、チャネル設定部230は、トランスポート共有チャネル（DL-SCH及びUL-SCH）を設定する。
【００４９】
具体的には、チャネル設定部230は、制御情報送受信部220によって取得された単位区間に基づいて、トランスポート共有チャネルを設定する。
【００５０】
（２．３）TTIの決定方法
次に、上述したeNB100A（TTI決定部130）によるTTIの決定方法について説明する。
【００５１】
（２．３．１）決定方法１
決定方法１では、UE200が対応するUE Categoryにおける最大ビット数（上記参照）は、UE200が対応しているか否かに関わらず、LTEの仕様で規定されているTTI長の最小公倍数（或いは最大公約数）とする。
【００５２】
また、NRの場合、UE200が対応するUE Categoryにおける最大ビット数は、UE200が対応しているか否かに関わらず、NRの仕様で規定され、基準となるサブキャリア・スペーシング（numerology）で対応している全てのTTI長の最小公倍数（或いは最大公約数）とする。
【００５３】
さらに、LTEとNRとのデュアルコネクティビティ（DC）の場合、UE200が対応するUE Categoryにおける最大ビット数は、UE200が対応しているか否かに関わらず、LTEの仕様で規定されているTTI長、及びNRの仕様で規定されている基準となるnumerologyで対応している全てのTTI長の最小公倍数（或いは最大公約数）とする。
【００５４】
（２．３．２）決定方法２
決定方法２では、UE200が対応するUE Categoryにおける最大ビット数（上記参照）は、UE200が対応しており、かつLTEの仕様で規定されているTTI、具体的には、当該TTIの時間長であるTTI長の最小公倍数（或いは最大公約数）とする。
【００５５】
また、NRの場合、UE200が対応するUE Categoryにおける最大ビット数（上記参照）は、UE200が対応しており、かつNRの仕様で規定され、基準となるサブキャリア・スペーシング（numerology）で対応している全てのTTI長の最小公倍数（或いは最大公約数）とする。
【００５６】
さらに、LTEとNRとのデュアルコネクティビティ（DC）の場合、UE200が対応するUE Categoryにおける最大ビット数は、UE200が対応しており、かつLTEの仕様で規定されているTTI長、及びNRの仕様で規定されている基準となるnumerologyで対応している全てのTTI長の最小公倍数（或いは最大公約数）とする。
【００５７】
（２．３．３）決定方法３
決定方法３では、従来のTTI長（1ms）が考慮される。つまり、従来のTTI長が1msであることを考慮すると、TTI長の最小公倍数は、実質的に1msとなる。
【００５８】
従って、UE200が対応するUE Categoryにおける最大ビット数（上記参照）は、1msよりも短いShort TTIのTTI長に対応しているかに関わらず、1ms中の値（1ms中で割り当てられるビット数）とする。例えば、UE Categoryが「1」であれば、Maximum number of DL-SCH transport block bits received within a TTIは、「10296」ビットとなる。
【００５９】
或いは、1ms = 1 subframeであるため、1 subframe中の値としてもよい。
【００６０】
また、NRの場合、NRのreference numerology（15KHz sub-carrier spacing）におけるスロット長の最大値は1msであるため、TTI長の最小公倍数は実質1msとなる。
【００６１】
従って、UE200が対応するUE Categoryにおける最大ビット数は、1msよりも短いShort TTIのTTI長に対応しているかに関わらず、1ms中の値（1ms中で割り当てられるビット数）とする。但し、スロット長の最大値は0.5msとなる場合もある。
【００６２】
さらに、LTEとNRとのデュアルコネクティビティ（DC）の場合、LTEと、NRのreference numerology（15KHz sub-carrier spacing）で規定されるTTI長及びスロット長の最小公倍数は1msであるため、UE200が対応するUE Categoryにおける最大ビット数は、1msよりも短いShort TTIのTTI長に対応しているかに関わらず、1ms中の値（1ms中で割り当てられるビット数）とする。
【００６３】
（２．３．４）TTI長に応じたスケジューリング及びTBSの定義
UE200に対してスケジューリングされるTransport Block Size（TBS）は、上述した決定方法によって決定されたTTI長に応じて定まる。
【００６４】
上述した最大ビット数は、複数のTTI長の最小公倍数を用いて、以下のように算出される。
【００６５】
・  TBS［ビット数］×決定されたTTI長／TTI長の最小公倍数
また、複数のTTI長の最大公約数を用いる場合、以下のように算出される。
【００６６】
・  TBS［ビット数］×決定されたTTI長×TTI長の最大公約数
また、DL-SCH／UL-SCHのTBSまたTBビット数が1ms当たりにおいて処理可能な値として規定された場合、以下のように算出される。
【００６７】
・  （TBS［ビット数／ms］）×決定されたTTI長）／1ms
さらに、NRのTBSは、reference numerology（15KHz sub-carrier spacing）の最大スロット長（1msまたは0.5ms）おいて送受信可能なサイズとする。UE200が1ms （または0.5ms）より短いTTI長を用いる場合、最大ビット数は、以下のように算出される。
【００６８】
・  TBS［ビット数／1ms（または0.5ms）］×決定されたTTI長
なお、上述したTBSは、例えば、LTEであれば、TS 36.213に規定されているようなTBS tableの値を意味する。
【００６９】
（２．３．５）ハイブリッド自動再送要求（HARQ）への対応
LTE及びNRでは、ハイブリッド自動再送要求（HARQ）が規定されている。PDSCH（Physical Downlink Shared Channel）に対してHARQが適用される場合、TTI長の異なるデータ送信が混在すると、UE200は、TTI長が異なるPDSCHのデータ送信と、HARQのフィードバック（HARQ ACK）までの処理を並行して実行する可能性がある。
【００７０】
この場合、上述したような決定方法によるTTI長に代えて、データ送信からHARQ ACKまでの複数のラウンドトリップ時間（RTT）のうち、最大の時間長を用いてもよい。つまり、当該RTTの最大値に基づいて、上述した最大ビット数を決定してもよい。
【００７１】
具体的には、UE200が対応しているか否かに関わらず、NRの仕様で規定され、基準となるサブキャリア・スペーシング（numerology）で対応しているHARQ RTT長の最大値としてもよい。
【００７２】
また、LTEまたはNRの仕様で規定されている全てのnumerologyのうち、最大のHARQ RTT長としてもよい。さらに、UE200が対応しているHARQ RTT長の最大値としてもよい。
【００７３】
或いは、（最大のHARQ RTT長の間×最大のHARQプロセス数）において、UE200が送受信可能な最大ビット数（つまり、Maximum number of DL/UL-SCH transport block bits, Maximum number of bits of a DL/UL-SCH transport block）としてもよい。
【００７４】
（３）無線通信システムの動作
次に、無線通信システム10の動作について説明する。具体的には、eNB100AによるTTIの決定、及びトランスポート共有チャネル（DL-SCH及びUL-SCH）の設定動作について説明する。
【００７５】
なお、以下では、eNB100Aを例として説明するが、gNB100Bも同様の動作を実行できる。さらに、UE200は、eNB100A（またはEPC20）によって指示されたTTIに基づいて、同様にトランスポート共有チャネル（DL-SCH及びUL-SCH）を設定する。
【００７６】
（３．１）動作例１
図６は、TTIの決定、及びDL-SCHの設定動作フロー（動作例１）を示す。図６に示すように、eNB100Aは、LTE及びNRにおいて規定されている複数のTTIの値（TTI長）を取得する（S10）。なお、上述したように、eNB100Aは、LTE及びNRの何れか一方において規定されているTTI長のみを取得してもよい。また、TTI長の取得方法は、特に限定されない。eNB100Aが内部に保持していてもよいし、EPC20またはNGC 25に問い合わせることによって取得してもよい。
【００７７】
eNB100Aは、取得した複数のTTI（TTI長）の最小公倍数（または最大公約数）を演算する（S20）。例えば、eNB100Aは、0.5msと1msのTTIを取得した場合、1.0msを最小公倍数として算出する。
【００７８】
eNB100Aは、演算したTTI長の最小公倍数を用いて、当該TTI長における1TTI中のTBS（Transport Block Size）及び最大ビット数（Maximum number of DL/UL-SCH transport block bits, Maximum number of bits of a DL/UL-SCH transport block）を演算する（S30）。
【００７９】
さらに、eNB100Aは、演算した最大ビット数に基づいて、DL-SCH（及びUL-SCH）に用いる無線リソースブロックRBを選択し、DL-SCHを設定する（S40）。eNB100Aは、設定したDL-SCHをUE200に向けて送信する。
【００８０】
（３．２）動作例２
図７は、TTIの決定、及びDL-SCHの設定動作フロー（動作例２）を示す。以下、動作例１と異なる部分について主に説明する。図７に示すように、eNB100Aは、スケジューリング対象のUE200が対応しているTTIの値を取得する（S110）。
【００８１】
S120〜S140の処理は、動作例１のS20〜S40と同様である。但し、対象となる複数のTTIは、S110で取得されたTTIである。
【００８２】
（３．３）動作例３
図８は、TTIの決定、及びDL-SCHの設定動作フロー（動作例３）を示す。以下、動作例１と異なる部分について主に説明する。図８に示すように、eNB100Aは、複数のTTIが規定されているものの、従来と同様に、1msのTTIを適用すると見なす（S210）。これにより、複数のTTIが規定されている場合でも、1msのTTIが適用される。
【００８３】
S220及びS230の処理は、動作例１のS30及びS40と同様である。
【００８４】
（３．４）動作例４
図９は、TTIの決定、及びDL-SCHの設定動作フロー（動作例４）を示す。動作例４でも、動作例３と同様に、eNB100Aは、1msのTTIを適用すると見なす（S310）。
【００８５】
ここで、eNB100Aは、TTIではなく、1 subframe中のTBS（Transport Block Size）及び最大ビット数（Maximum number of DL/UL-SCH transport block bits, Maximum number of bits of a DL/UL-SCH transport block）を演算する（S320）。
【００８６】
S330の処理は、動作例１のS40と同様である。
【００８７】
（３．５）動作例５
図１０は、ハイブリッド自動再送要求（HARQ）のラウンドトリップ時間（RTT）の時間長に基づいて、DL-SCHに割り当てられる最大ビット数を決定する動作の説明図である。
【００８８】
上述したように、無線通信システム10では、TTI長が異なるPDSCHのデータ送信と、HARQのフィードバック（HARQ ACK）までの処理が並行して実行され得る。
【００８９】
具体的には、図１０に示すように、PDSCH 310Aのデータ送信及びHARQ ACK 320Aの返送と、PDSCH 310Bのデータ送信及びHARQ ACK 320Bの返送とは、時間軸上において同時に並行して実行される。
【００９０】
ここで、PDSCH 310Aに適用されるHARQ RTT 330Aは、長いTTI（例えば、1ms）に対応している。一方、PDSCH 310Bに適用されるHARQ RTT 330Bは、HARQ RTT 330Aよりも短いTTI（Short TTI）に対応している。
【００９１】
このような場合、eNB100Aは、最大のHARQ RTT長、つまり、図１０の例では、HARQ RTT 330Aに基づいて、上述した最大ビット数を決定することができる。
【００９２】
（４）作用・効果
上述した実施形態によれば、以下の作用効果が得られる。具体的には、eNB100Aは、複数のTTIの最小公倍数または最大公約数に基づいて、UE200が用いるDL-SCH及びUL-SCHに割り当てられる上述の最大ビット数と対応するTTIを決定する。
【００９３】
このため、Short TTIを含む複数のTTI長が用いられる場合でも、適切なDL-SCH及びUL-SCHのパラメータ（最大ビット数）を容易に設定し得る。つまり、eNB100Aによれば、LTEとNR、或いはLTEとNRとのデュアルコネクティビティ（DC）に用いられるコンポーネントキャリアCCに適用されるTTI（TTI長）が異なる場合でも、eNB100Aは、当該複数のTTIに依存することなく、複数のUE200に対してユニバーサルなTTIを独自に決定することができる。また、eNB100Aは、TBS sizeをUE200が対応しているTTI長に依存せずに一意に規定できる。
【００９４】
本実施形態では、サブキャリア・スペーシング（numerology）と対応する複数のTTIの最小公倍数または最大公約数に基づいて、当該最大ビット数と対応するTTIを決定できる。このため、複数種類のサブキャリア・スペーシングが適用される場合でも、適切なTTIを選択し得る。
【００９５】
本実施形態では、UE200が対応しているTTIに基づいて、当該最大ビット数と対応するTTIを決定できる。このため、実際のUE200の対応状況に応じたTTIを決定できる。
【００９６】
本実施形態では、複数のTTIに関わらず、従来の1msのTTI（所定の送信時間間隔）を用い得る。或いは、複数のTTIに関わらず、1 subframe（所定のサブフレーム数）を用い得る。このため、実質的に適用される可能性が高いTTIとすることによって、複数のUE200に対して実質的にユニバーサルなTTIを容易に決定できる。
【００９７】
本実施形態では、PDSCHのデータ送信と、HARQのフィードバック（HARQ ACK）までの処理のうち、最大のHARQ RTT長に基づいて、当該最大ビット数と対応するTTIを決定できる。このため、複数のHARQ処理が同時に並行して実行される場合でも、ユニバーサルなTTIを決定できる。
【００９８】
（５）その他の実施形態
以上、実施形態に沿って本発明の内容を説明したが、本発明はこれらの記載に限定されるものではなく、種々の変形及び改良が可能であることは、当業者には自明である。
【００９９】
例えば、上述した実施形態では、eNB100AがTTI決定部130を備え、TTIを決定していたが、このような機能は、他のネットワーク装置、例えば、ノード30またはノード40によって実行されてもよい。
【０１００】
また、上述した実施形態の説明に用いたブロック構成図（図４，５）は、機能ブロックを示している。これらの機能ブロック（構成部）は、ハードウェア及び／またはソフトウェアの任意の組み合わせによって実現される。また、各機能ブロックの実現手段は特に限定されない。すなわち、各機能ブロックは、物理的及び／または論理的に結合した１つの装置により実現されてもよいし、物理的及び／または論理的に分離した２つ以上の装置を直接的及び／または間接的に（例えば、有線及び／または無線）で接続し、これら複数の装置により実現されてもよい。
【０１０１】
さらに、上述したeNB100A及びUE200（当該装置）は、本発明の処理を行うコンピュータとして機能してもよい。図１１は、当該装置のハードウェア構成の一例を示す図である。
図１１に示すように、当該装置は、プロセッサ1001、メモリ1002、ストレージ1003、通信装置1004、入力装置1005、出力装置1006及びバス1007などを含むコンピュータ装置として構成されてもよい。
【０１０２】
当該装置の各機能ブロック（図４，５参照）は、当該コンピュータ装置の何れかのハードウェア要素、または当該ハードウェア要素の組み合わせによって実現される。
【０１０３】
プロセッサ1001は、例えば、オペレーティングシステムを動作させてコンピュータ全体を制御する。プロセッサ1001は、周辺装置とのインタフェース、制御装置、演算装置、レジスタなどを含む中央処理装置（CPU）で構成されてもよい。
【０１０４】
メモリ1002は、コンピュータ読み取り可能な記録媒体であり、例えば、ROM（Read Only Memory）、EPROM（Erasable Programmable ROM）、EEPROM（Electrically Erasable Programmable ROM）、RAM（Random Access Memory）などの少なくとも１つで構成されてもよい。メモリ1002は、レジスタ、キャッシュ、メインメモリ（主記憶装置）などと呼ばれてもよい。メモリ1002は、上述した実施形態に係る方法を実行可能なプログラム（プログラムコード）、ソフトウェアモジュールなどを保存することができる。
【０１０５】
ストレージ1003は、コンピュータ読み取り可能な記録媒体であり、例えば、CD-ROM（Compact Disc ROM）などの光ディスク、ハードディスクドライブ、フレキシブルディスク、光磁気ディスク（例えば、コンパクトディスク、デジタル多用途ディスク、Blu-ray（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ1003は、補助記憶装置と呼ばれてもよい。上述の記録媒体は、例えば、メモリ1002及び／またはストレージ1003を含むデータベース、サーバその他の適切な媒体であってもよい。
【０１０６】
通信装置1004は、有線及び／または無線ネットワークを介してコンピュータ間の通信を行うためのハードウェア（送受信デバイス）であり、例えばネットワークデバイス、ネットワークコントローラ、ネットワークカード、通信モジュールなどともいう。
【０１０７】
入力装置1005は、外部からの入力を受け付ける入力デバイス（例えば、キーボード、マウス、マイクロフォン、スイッチ、ボタン、センサなど）である。出力装置1006は、外部への出力を実施する出力デバイス（例えば、ディスプレイ、スピーカー、LEDランプなど）である。なお、入力装置1005及び出力装置1006は、一体となった構成（例えば、タッチパネル）であってもよい。
【０１０８】
また、プロセッサ1001及びメモリ1002などの各装置は、情報を通信するためのバス1007で接続される。バス1007は、単一のバスで構成されてもよいし、装置間で異なるバスで構成されてもよい。
【０１０９】
また、情報の通知は、上述した実施形態に限られず、他の方法で行われてもよい。例えば、情報の通知は、物理レイヤシグナリング（例えば、DCI（Downlink Control Information）、UCI（Uplink Control Information））、上位レイヤシグナリング（例えば、RRCシグナリング、MAC（Medium Access Control）シグナリング、報知情報（MIB（Master Information Block）、SIB（System Information Block））、その他の信号またはこれらの組み合わせによって実施されてもよい。また、RRCシグナリングは、RRCメッセージと呼ばれてもよく、例えば、RRC Connection Setupメッセージ、RRC Connection Reconfigurationメッセージなどであってもよい。
【０１１０】
さらに、入出力された情報は、特定の場所（例えば、メモリ）に保存されてもよいし、管理テーブルで管理してもよい。入出力される情報は、上書き、更新、または追記され得る。出力された情報は削除されてもよい。入力された情報は他の装置へ送信されてもよい。
【０１１１】
上述した実施形態におけるシーケンス及びフローチャートなどは、矛盾の無い限り、順序を入れ替えてもよい。
【０１１２】
また、上述した実施形態において、eNB100A（gNB100B、以下同）によって行われるとした特定動作は、他のネットワークノード（装置）によって行われることもある。また、複数の他のネットワークノードの組み合わせによってeNB100Aの機能が提供されても構わない。
【０１１３】
なお、本明細書で説明した用語及び／または本明細書の理解に必要な用語については、同一のまたは類似する意味を有する用語と置き換えてもよい。例えば、該当する記載がある場合、チャネル及び／またはシンボルは信号（シグナル）であってもよい。また、信号はメッセージであってもよい。また、「システム」及び「ネットワーク」という用語は、互換的に使用されてもよい。
【０１１４】
さらに、パラメータなどは、絶対値で表されてもよいし、所定の値からの相対値で表されてもよいし、対応する別の情報で表されてもよい。例えば、無線リソースはインデックスで指示されるものであってもよい。
【０１１５】
eNB100A（基地局）は、１つまたは複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局RRH：Remote Radio Head）によって通信サービスを提供することもできる。
【０１１６】
「セル」または「セクタ」という用語は、このカバレッジにおいて通信サービスを行う基地局、及び／または基地局サブシステムのカバレッジエリアの一部または全体を指す。
さらに、「基地局」「eNB」、「セル」、及び「セクタ」という用語は、本明細書では互換的に使用され得る。基地局は、固定局（fixed station）、NodeB、eNodeB（eNB）、gNodeB（gNB）、アクセスポイント（access point）、フェムトセル、スモールセルなどの用語で呼ばれる場合もある。
【０１１７】
UE200は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１１８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１１９】
また、「含む（including）」、「含んでいる（comprising）」、及びそれらの変形の用語は、「備える」と同様に、包括的であることが意図される。さらに、本明細書或いは特許請求の範囲において使用されている用語「または（or）」は、排他的論理和ではないことが意図される。
【０１２０】
本明細書で使用した「第１」、「第２」などの呼称を使用した要素へのいかなる参照も、それらの要素の量または順序を全般的に限定するものではない。これらの呼称は、２つ以上の要素間を区別する便利な方法として本明細書で使用され得る。したがって、第１及び第２の要素への参照は、２つの要素のみがそこで採用され得ること、または何らかの形で第１の要素が第２の要素に先行しなければならないことを意味しない。
【０１２１】
本明細書の全体において、例えば、英語でのa, an, 及びtheのように、翻訳により冠詞が追加された場合、これらの冠詞は、文脈から明らかにそうではないことが示されていなければ、複数のものを含むものとする。
【０１２２】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【産業上の利用可能性】
【０１２３】
上述した実施形態によれば、Short TTIを含む複数のTTI長が用いられる場合でも、適切なトランスポート共有チャネルのパラメータ（最大ビット数）を容易に設定し得るため、有用である。
【符号の説明】
【０１２４】
10  無線通信システム
20  EPC
25  NGC 
100A  eNB
100B  gNB
110  無線通信部
120  UE能力取得部
130  TTI決定部
140  チャネル設定部
200  UE
210  無線通信部
220  制御情報送受信部
230  チャネル設定部
1001  プロセッサ
1002  メモリ
1003  ストレージ
1004  通信装置
1005  入力装置
1006  出力装置
1007  バス
【図１】
2018230650.tif 000003
【図２】
2018230650.tif 000004
【図３】
2018230650.tif 000005
【図４】
2018230650.tif 000006
【図５】
2018230650.tif 000007
【図６】
2018230650.tif 000008
【図７】
2018230650.tif 000009
【図８】
2018230650.tif 000010
【図９】
2018230650.tif 000011
【図１０】
2018230650.tif 000012
【図１１】
2018230650.tif 000013
【国際調査報告】
2018230650.tif 000014
2018230650.tif 000015